(57)【要約】【課題】汚れのレベルは表示できるが、次に移行する汚れのレベルに達するまで室内の汚れの詳細が使用者にはわからない従来の空気清浄機を解決するものであり、汚れレベルが移行する間の汚れの量を表示することで、汚れの量と推移を視覚で確認できることを目的としている。【解決手段】空気中の汚れを検知するほこりセンサー６を設け、汚れレベルが移行する間に、ほこりセンサー６により検知した汚れの量を表示することで、使用者が汚れの量と汚れの推移を視覚で確認できるための制御手段としてマイコン８を備える。【選択図】図１
2009248073.tif 000002
【特許請求の範囲】
【請求項１】
空気を吸い込む吸気口と、吸い込んだ空気を清浄する清浄手段と、この清浄手段に通風する送風手段と、空気を吹き出す排気口と、汚れを検知する検知手段と、検知した汚れを表示する表示部を備えた空気清浄機において、検知した汚れの量を表示部に表示し、使用者に汚れの量と推移を視覚的に表示させる制御手段を備えた空気清浄機。
【請求項２】
汚れを検知した結果をデジタル信号で出力する検知手段を備えたことを特徴とする請求項１に記載の空気清浄機。
【請求項３】
出力されたデジタル信号に同相にして表示部を点灯することを特徴とする請求項２に記載の空気清浄機。
【請求項４】
出力されたデジタル信号に逆相にして表示部を点灯することを特徴とする請求項２に記載の空気清浄機。
【請求項５】
出力されたデジタル信号に同相にして表示部を消灯することを特徴とする請求項２に記載の空気清浄機。
【請求項６】
出力されたデジタル信号に逆相にして表示部を消灯することを特徴とする請求項２に記載の空気清浄機。
【請求項７】
出力されたデジタル信号に同相にして表示部を明滅することを特徴とする請求項２に記載の空気清浄機。
【請求項８】
出力されたデジタル信号に逆相にして表示部を明滅することを特徴とする請求項２に記載の空気清浄機。
【請求項９】
空気中の汚れの粒子径を判別し、検知できる検知手段を備えたことを特徴とする請求項１に記載の空気清浄機。
【請求項１０】
検知した汚れを粒子径別に表示できることを特徴とする請求項９に記載の空気清浄機。
【請求項１１】
検知した汚れを表示する表示部を吸気口周辺に設けたことを特徴とする請求項１に記載の空気清浄機。
【請求項１２】
使用者が表示部の表示をＯＮ・ＯＦＦ設定できることを特徴とする請求項１に記載の空気清浄機。
【発明の詳細な説明】
【技術分野】
【０００１】
本発明は、室内空間に浮遊する埃や煙草などの汚染物質を含んだ汚染空気を吸い込んで清浄し、清浄後の空気を室内に吹きだす機能を備えた空気洗浄機に関する。
【背景技術】
【０００２】
従来、この種の空気清浄機は下記に記載されたものが知られている。
【０００３】
以下、その空気清浄機について図５を参照しながら説明する。図に示すように空気清浄機の本体１０１には空気を吸い込む吸気口１０２と、空気を清浄するフィルター１０３と、フィルターに通風するファン１０４と、このファンを運転制御する制御部１０５と、排気口１０６と、空気の汚れを検出する汚れセンサー１０７と表示部１０８を備え、汚れセンサー１０７が汚れを検出し、汚れレベルの段階的な表示を行っている（例えば、特許文献１参照）。
【特許文献１】特開２００５‐２３８０６３号公報
【発明の開示】
【発明が解決しようとする課題】
【０００４】
このような従来の空気清浄機では、汚れのレベルを数段階設け、汚れのレベルは表示できるが、次に移行する汚れのレベルに達するまで室内の空気は清浄の方向なのか、汚れが進行している状態なのか詳細が使用者にはわからないため、使用者に汚れの推移の詳細を視覚的に表示することが要求されている。
【０００５】
本発明は、このような従来の課題を解決するものであり、汚れレベルが移行する間に、汚れ検知手段により検知した汚れの量を表示することで、使用者が汚れの量と汚れの推移を視覚で確認できることを目的としている。
【課題を解決するための手段】
【０００６】
本発明の空気清浄機は上記目的を達成するために、空気を吸い込む吸気口と、吸い込んだ空気を清浄する清浄手段と、この清浄手段に通風する送風手段と、空気を吹き出す排気口と、汚れを検知する検知手段と、検知した汚れを表示する表示部を備えた空気清浄機において、検知した汚れの量を表示部に表示し、使用者に汚れの量と推移を視覚的に表示する制御手段を備えたものである。
【０００７】
この手段により、使用者が汚れの量と推移を視覚で確認できる空気清浄機が得られる。
【０００８】
また、汚れを検知した結果をデジタル信号で出力する検知手段を備えたものである。
【０００９】
この手段により、汚れの量と推移を表示できる空気清浄機が得られる。
【００１０】
また、出力されたデジタル信号に同相にして表示部を点灯するものである。
【００１１】
この手段により、使用者が汚れの量と推移を視覚で確認できる空気清浄機が得られる。
【００１２】
また、出力されたデジタル信号に逆相にして表示部を点灯するものである。
【００１３】
この手段により、使用者が汚れの量と推移を視覚で確認できる空気清浄機が得られる。
【００１４】
また、出力されたデジタル信号に同相にして表示部を消灯するものである。
【００１５】
この手段により、使用者が汚れの量と推移を視覚で確認できる空気清浄機が得られる。
【００１６】
また、出力されたデジタル信号に逆相にして表示部を消灯するものである。
【００１７】
この手段により、使用者が汚れの量と推移を視覚で確認できる空気清浄機が得られる。
【００１８】
また、出力されたデジタル信号に同相にして表示部を明滅するものである。
【００１９】
この手段により、使用者が汚れの量と推移を視覚で確認できる空気清浄機が得られる。
【００２０】
また、出力されたデジタル信号に逆相にして表示部を明滅するものである。
【００２１】
この手段により、使用者が汚れの量と推移を視覚で確認できる空気清浄機が得られる。
【００２２】
また、空気中の汚れの粒子径を判別し、検知できる検知手段を備えたものである。
【００２３】
この手段により、汚れの原因をより詳細に表示できる空気清浄機が得られる。
【００２４】
また、検知した汚れを粒子径別に表示できるものである。
【００２５】
この手段により、使用者が汚れの原因の詳細を視覚で確認できる空気清浄機が得られる。
【００２６】
また、検知した汚れを表示する表示部を吸気口周辺に設けたものである。
【００２７】
この手段により、空気清浄機の効果をより効果的に使用者に視覚で確認できる空気清浄機が得られる。
【００２８】
また、使用者が表示部の表示をＯＮ・ＯＦＦ設定できるものである。
【００２９】
この手段により、睡眠中に光によって使用者に不快感を与えることなく、また、表示を必要としないとき省エネすることができる空気清浄機が得られる。
【発明の効果】
【００３０】
本発明によれば、汚れレベルが移行する間に、汚れ検知手段により検知した汚れの量を表示することで、使用者が汚れの量と推移を視覚で確認できる空気清浄機を提供できる。
【発明を実施するための最良の形態】
【００３１】
本発明の空気清浄機は上記目的を達成するために、空気を吸い込む吸気口と、吸い込んだ空気を清浄する清浄手段と、この清浄手段に通風する送風手段と、空気を吹き出す排気口を備えた空気清浄機において、汚れを検知する検知手段と、検知した汚れを表示する表示部を備え、検知した汚れの量を表示部に表示し、使用者に汚れの量と推移を視覚的に表示するという作用を有する。
【００３２】
また、空気清浄機の効果を効果的に視覚で知らせるという作用を有する。
【００３３】
また、清浄手段に汚れ進行度表示を使用者がＯＮ・ＯＦＦできるものであり、睡眠中に光によって使用者に不快感を与えることなく、また、表示を必要としないとき省エネすることができるという作用を有する。
【００３４】
以下、本発明の実施の形態について図面を参照しながら説明する。
【００３５】
（実施形態１）
図１は本発明の実施の形態における空気清浄機の構成を示す図である。図１において空気清浄機本体１に室内の空気を吸い込む吸気口２と、この吸気口２より吸い込まれた空気を浄化する清浄手段としてフィルター３と、清浄した空気を吹き出すための排気口５と、吸気口２から空気を吸い込んでフィルター３を通して排気口５から室内へ吹き出す通風を行う送風手段としてのファン４と、空気の汚れ検知する手段としてほこりセンサー６と、吸気口２周辺配置して検知した結果を表示する表示部７と、汚れの測定結果に応答して表示部７を制御する制御手段としてのマイコン８と、表示部７のＯＮ・ＯＦＦを設定するＯＮ・ＯＦＦスイッチ９とを設け構成する。
【００３６】
表示部７は、ＬＥＤ（発光ダイオード）と電流増幅用のトランジスタ構成されている。すなわち、トランジスタのベースをＬｏにするとベース電流が流れて、ＬＥＤに電流を流す構成とする。
【００３７】
ほこりセンサー６は、図２に示すように、所定時間内に検知した汚れをその汚れ度合いに比例した時間幅を有する信号としてのデジタル信号で出力するものである。すなわち、汚れを検知していない状態ではＨｉ信号を出力し、汚れを検知するとＬｏ信号を出力する。Ｌｏ信号の出力時間は検知した汚れの大きさに比例する。
【００３８】
図３に、ほこりセンサー６からマイコン８を介して表示部７へ接続した回路の構成を示す。表示部７は、ＬＥＤと電流増幅用のトランジスタ構成されている。すなわち、トランジスタのベースをＬｏにするとベース電流が流れて、ＬＥＤに電流を流す構成とする。また、ほこりセンサー６により汚れを検知した結果のデジタル信号は、マイコン８に入力され、マイコン８は、表示部７に検知した結果のデジタル信号と同相にしたデジタル信号、つまり、ほこりセンサー６がＨｉの出力ならばマイコン８はＨｉを出力し、表示部７のＬＥＤを消灯させ、ほこりセンサー６がＬｏの出力ならば、マイコン８はＬｏを出力し、前記ＬＥＤを点灯させるように構成する。
【００３９】
つまり、汚れを検知していない状態ではＬＥＤは消灯しているが、汚れを検知した瞬間ＬＥＤを点灯させる。点灯時間は検知した汚れの大きさに比例する。
【００４０】
以上のように構成する空気清浄機本体１を室内に設置し、表示部７に汚れレベルが移行する間のほこりセンサー６の検知量をほこりセンサー６の出力信号に連動させて逐次表示することで、使用者が汚れの量の推移を視覚で確認できる。
【００４１】
また、空気清浄機の効果をより効果的に使用者者に視覚で確認できる。
【００４２】
なお、ほこりセンサー６の出力信号に応じて、ＬＥＤは点灯と消灯を繰り返して表示しているが、ほこりセンサー６の検知量にすなわち、出力信号の時間幅に比例させて表示部７のＬＥＤの点灯の明暗を付ける明滅表示としてもよい。
【００４３】
なお、空気の汚れ度合いを測定する手段をほこりセンサー６としたが、検知した汚れを本実施の形態の一例のデジタル出力をできるものであればほこりセンサー６でなくてもよい。
【００４４】
なお、発光素子をＬＥＤとしたが、使用者に視覚的に表示できるものであればＬＥＤでなくても液晶や有機ＥＬを用いたものでもよい。
【００４５】
また、ＯＮ・ＯＦＦスイッチ９により表示部７をＯＮまたはＯＦＦに設定することとなり、この操作を行うことで、睡眠中に光によって使用者に不快感を与えることなく、また、表示を必要としないときには省エネすることができる。
【００４６】
（実施形態２）
本実施の形態は前記実施の形態１と制御方法が異なるのみであり、同一構成のものは同一番号を付して詳しい説明は省略する。
【００４７】
図４に、ほこりセンサー６からマイコン８を介して表示部１０へ接続した回路の構成を示す。表示部１０は、ＬＥＤのみで構成し、ほこりセンサー６により汚れを検知した結果のデジタル信号をマイコン８により制御し、表示部１０のＬＥＤに検知した結果のデジタル信号と逆相にした（または反転した）デジタル信号、つまり、ほこりセンサー６がＨｉ信号の出力ならばマイコン８はＬｏ信号を出力して表示部１０のＬＥＤを消灯させ、ほこりセンサー６がＬｏ信号の出力ならば、マイコン８はＨｉ信号を出力し、ＬＥＤを点灯させる。
【００４８】
つまり、汚れを検知していない状態ではＬＥＤは消灯しているが、汚れを検知した瞬間ＬＥＤを点灯させる。点灯時間は検知した汚れの大きさに比例する。
【００４９】
以上のように構成する空気清浄機本体１を室内に設置し、表示部１０に汚れレベルが移行する間の量を表示することで、使用者が汚れの量の推移を視覚で確認できる。
【００５０】
また、本実施の形態の回路構成において実施の形態１の回路構成に対して、部品（実施の形態１の表示部７を構成していたトランジスタ）を減らすことができ、コストダウンすることができる。
【００５１】
なお、ＬＥＤは点灯としているが、明滅でもよい。
【００５２】
なお、空気の汚れ度合いを測定する手段をほこりセンサー６としたが、検知した汚れをデジタル出力できるものであればほこりセンサー６でなくてもよい。
【００５３】
なお、発行素子をＬＥＤとしたが、使用者に視覚的に表示できるものであればＬＥＤでなくてもよい。
【００５４】
（実施形態３）
本実施の形態は前記実施の形態１と制御方法が異なるのみであり、同一構成のものは同一番号を付して詳しい説明は省略する。
【００５５】
回路構成図４において、ほこりセンサー６により汚れを検知した結果のデジタル信号をマイコン８により制御し、ＬＥＤに検知した結果のデジタル信号と同相のデジタル信号、を出力し、ＬＥＤを消灯させる。
【００５６】
つまり、汚れを検知していない状態ではＬＥＤは点灯しているが、汚れを検知した瞬間ＬＥＤを消灯させる。消灯時間は検知した汚れの大きさに比例する。
【００５７】
以上のように構成する空気清浄機本体１を室内に設置し、表示部７に汚れレベルが移行する間の量を表示することで、使用者が汚れの量の推移を視覚で確認できる。
【００５８】
また、回路構成において実施の形態２と同様に部品を減らすことができ、コストダウンすることができる。
【００５９】
なお、空気の汚れ度合いを測定する手段をほこりセンサー６としたが、検知した汚れをデジタル出力できるものであればほこりセンサー６でなくてもよい。
【００６０】
なお、発行素子をＬＥＤとしたが、使用者に視覚的に表示できるものであればＬＥＤでなくてもよい。
【００６１】
（実施形態４）
本実施の形態は前記実施の形態１と制御方法が異なるのみであり、同一構成のものは同一番号を付して詳しい説明は省略する。
【００６２】
回路構成図３において、ほこりセンサー６により汚れを検知した結果のデジタル信号をマイコン８により制御し、ＬＥＤに検知した結果のデジタル信号と逆相にしたデジタル信号、を出力し、ＬＥＤを消灯させる。
【００６３】
つまり、汚れを検知していない状態ではＬＥＤは点灯しているが、汚れを検知した瞬間ＬＥＤを消灯させる。消灯時間は検知した汚れの大きさに比例する。
【００６４】
以上のように構成する空気清浄機本体１を室内に設置し、表示部７に汚れレベルが移行する間の量を表示することで、使用者が汚れの量の推移を視覚で確認できる。
【００６５】
なお、空気の汚れ度合いを測定する手段をほこりセンサー６としたが、検知した汚れをデジタル出力できるものであればほこりセンサー６でなくてもよい。
【００６６】
なお、発行素子をＬＥＤとしたが、使用者に視覚的に表示できるものであればＬＥＤでなくてもよい。
【００６７】
（実施形態５）
本実施の形態は前記実施の形態１と制御方法が異なるのみであり、同一構成のものは同一番号を付して詳しい説明は省略する。
【００６８】
ほこりセンサー６は検知した汚れの粒子径を検知できる検知手段を備え、粒径毎に検知量を出力する。例えば、粒子径大と粒子径小を検知し、それぞれを個別にデジタル信号を出力する。マイコン８は個別に制御する。表示部７には粒子径大と粒子径小のＬＥＤを設け、マイコン８により個別にＬＥＤに検知結果を出力する。
【００６９】
この動作を行うことで、汚れの原因をより詳細に表示できる。例えば、粒子径大のＬＥＤが点灯しているときは、主に花粉やほこりの汚れが多く、粒子径小のＬＥＤが点灯しているときには主にたばこの煙等の汚れが多いことが確認できる。
【００７０】
また、使用者が汚れの量と推移を視覚で確認できる。
【産業上の利用可能性】
【００７１】
本発明にかかる空気清浄機は、空気調和機でも同様の手段を用いることで、使用者が汚れの量の推移を視覚で確認できる。
【図面の簡単な説明】
【００７２】
【図１】本発明の実施形態１の空気清浄機の構成を示す斜影図
【図２】本発明の実施形態１のほこりセンサーのデジタル出力図
【図３】本発明の実施形態１のほこりセンサー制御回路図
【図４】本発明の実施形態２のほこりセンサー制御回路図
【図５】従来の空気清浄機の斜影図
【符号の説明】
【００７３】
１      空気清浄機本体
２      吸気口
３      フィルター
４      ファン
５      排気口
６      ほこりセンサー
７      表示部
８      マイコン
９      ＯＮ・ＯＦＦスイッチ
１０    表示部
１０１  本体
１０２  吸気口
１０３  フィルター
１０４  ファン
１０５  制御部
１０６  排気口
１０７  汚れセンサー
１０８  表示部
【図１】
2009248073.tif 000003
【図２】
2009248073.tif 000004
【図３】
2009248073.tif 000005
【図４】
2009248073.tif 000006
【図５】
2009248073.tif 000007